(57)【特許請求の範囲】
【請求項１】
所定の表示面を有する表示パネルと、
前記表示パネルの表示面側に入射する第１環境光を検出する第１受光回路と、
前記表示パネルの表示面の裏面側に入射する第２環境光を検出する第２受光回路と、
前記第１環境光の強度の変化の方向と前記第２環境光の強度の変化の方向とが互いに異なる場合に、前記第１環境光の強度と前記第２環境光の強度との比を算出し、当該比が所定値以下である場合に、前記第２受光回路が配置された前記表示パネルの裏面が前記第１環境光に対して逆光となる逆光状態であると判別する逆光判別部と、
前記逆光判別部が判別した逆光状態を除く前記第１環境光の強度に基づいて、前記表示パネルが置かれる環境の明るさを検出する明るさ検出部と、
前記明るさ検出部が検出した明るさに基づいて前記表示パネルに表示する画像の明るさを制御する明るさ制御部と、
を有する表示装置。
【請求項２】
前記明るさ制御部は、前記画像の階調制御によって前記画像の明るさを制御する請求項１記載の表示装置。
【請求項３】
前記表示パネルは、液晶表示パネルであって、前記表示パネルを照明するバックライト装置を備え、
前記明るさ制御部は、前記バックライト装置の照明光の強度を調節によって前記画像の明るさを制御する請求項１記載の表示装置。
【請求項４】
前記逆光判別部は、前記第２環境光の強度を１としたときに前記第１環境光の強度が１０以上である場合に、前記逆光状態であると判別する請求項１乃至請求項３のいずれかに記載の表示装置。
【請求項５】
前記明るさ制御部は、前記明るさ検出部が検出した明るさに基づいて前記表示パネルに表示する画像の明るさを３段階以上で制御する請求項１乃至請求項４のいずれかに記載の表示装置。
【請求項６】
前記明るさ制御部は、前記環境の明るさが１００ルクス〜１０００ルクスの範囲において、前記表示パネルに表示する画像の明るさを複数段階で制御する請求項５記載の表示装置。
【請求項７】
請求項１乃至請求項６のいずれかに記載の表示装置を備える電子機器。
【発明の詳細な説明】
【技術分野】
【０００１】
本発明は、表示装置及び電子機器に関するものである。
【背景技術】
【０００２】
一般に、液晶装置は、液晶パネルと、液晶パネルの背面側に設けられた照明装置であるバックライトとを備えている。また、携帯電話の表示部として、バックライトの両面にメインパネルとサブパネルの２つの液晶パネルを備えた両面表示タイプの液晶装置が提案されている（例えば特許文献１参照）。この種の液晶装置では、液晶パネルをその背面からバックライトで照らすことにより、その正面から透過光を得て画像表示を行なう。したがって、周囲の環境の明るさに敏感であり、使用環境によっては画像の視認性が大きく変化する場合がある。そこで、周囲の明るさによらずに適切な表示を得るために、外部の明るさ（環境光）を計測する受光センサを備え、その計測結果に基づいて画像の表示状態を制御する液晶装置が提案されている（例えば特許文献２参照）。
【特許文献１】特開２００３−２０７８０１号公報
【特許文献２】特開２００４−９４０９８号公報
【発明の開示】
【発明が解決しようとする課題】
【０００３】
画像の表示状態を制御する方法としては、バックライトの強度を制御する方法が知られている。しかしながら、従来の制御方法では、「暗い」と「明るい」の２つの状態しか検出しないため、バックライトの制御としては不十分なものとなっていた。例えば、日中屋外で使用する場合でも、屋内の蛍光灯を消した場所で使用する場合でも、「明るい」としか検出されないため、使用する場所によってはバックライトが明るすぎたり暗すぎたりする場合があった。また、バックライトの制御が不十分であると、バックライトを駆動する電池の持続力にも影響がでる。そこで、バックライトの強度を環境光の強度に応じて複数段階で制御することが検討されている。
【０００４】
ここで、人間の視認性は、明るい環境よりも薄暗い環境で敏感に変化する。したがって、蛍光灯で照らされるような屋内の環境でバックライトの制御をきめ細かく行なうことが、視認性の向上及び消費電力の低減を図る上で有効となる。ここで、蛍光灯で照らされる屋内の環境では、蛍光灯からの距離によって検出される環境光の強度がばらつく。例えば、屋外の環境では、太陽光の反射光を検出するため、検出される光はそれ自体平均化されたものとなる。したがって、環境光の強度をそのまま受光センサで検出すれば、人間が感じる環境の明るさ、すなわち環境光の平均的な強度を検出することができる。しかし、蛍光灯で照らされる屋内の環境では、受光センサは蛍光灯からの光を直接検出するため、蛍光灯からの距離に応じて検出される環境光の強度が大きくばらついてしまい、環境光の強度をそのまま受光センサで検出しても、人間が感じる平均的な明るさを検出することができない。このように受光センサで検出される環境光の強度と人間が感じる環境の明るさとの間に不一致が生じると、場所によってはバックライトが明るすぎたり暗すぎたりする場合がある。
【０００５】
このように、バックライトの強度を制御する場合には、その制御の基準となる環境の明るさを正確に検出することが重要となる。人間が感じる環境の明るさは環境の平均的な明るさであるため、受光センサで環境の明るさを検出する場合には、得られた環境光のデータの平均値を求めることが必要になる。しかしながら、得られる環境光のデータには大きなばらつきがあるため、全てのデータの平均値を求めると、人間が感じる明るさとの間に不一致を生じる場合がある。例えば、蛍光灯の真下では、検出される環境光の強度が不連続的に大きくなるため、このような場所で検出された環境光のデータを含めると、データの平均値が押し上げられてしまい、人間が感じる明るさとの間に不一致を生じてしまうのである。したがって、蛍光灯が設置された廊下を移動するような場合には、蛍光灯付近でバックライトが強くなりすぎてしまい、移動している最中にバックライトが明滅してしまうといった不具合を生じる場合がある。
【０００６】
本発明はこのような事情に鑑みてなされたものであり、特に蛍光灯で照らされるような屋内の環境において環境の明るさを正確に検出でき、これにより画像の表示状態を適切に制御することが可能な表示置及び電子機器を提供することを目的とする。
【課題を解決するための手段】
【０００７】
上記の課題を解決するため、表示装置は、所定の表示面を有する表示パネルと、前記表示パネルの表示面側に入射する第１環境光を検出する第１受光回路と、前記表示パネルの表示面の裏面側に入射する第２環境光を検出する第２受光回路と、前記第１環境光の強度の変化の方向と前記第２環境光の強度の変化の方向とが互いに異なる場合に、前記第１環境光の強度と前記第２環境光の強度との比を算出し、当該比が所定値以下である場合に、前記第２受光回路が配置された前記表示パネルの裏面が前記第１環境光に対して逆光となる逆光状態であると判別する逆光判別部と、前記逆光判別部が判別した逆光状態を除く前記第１環境光の強度に基づいて、前記表示パネルが置かれる環境の明るさを検出する明るさ検出部と、前記明るさ検出部が検出した明るさに基づいて前記表示パネルに表示する画像の明るさを制御する明るさ制御部と、を有する。
【０００８】
前述のように、環境の明るさを検出する上で最も障害となるのは、表示パネルが蛍光灯（人工光源）の真下に位置するときに検出された環境光のデータである。したがって、このようなデータを除外できれば、環境の明るさを正確に検出することができる。ここで、表示パネルが蛍光灯の真下に位置するか否かは表示パネル側に設けた第１受光回路のみでは検出できない。検出される環境光の強度は、蛍光灯からの距離や蛍光灯自体の強度によって大きく変化するからである。そこで、本発明では、第１パネルが蛍光灯の真下に位置するか否かを第１受光回路とその裏面側に設けた第２受光回路との双方を用いて検出することとしている。
【０００９】
第１パネル（第１表示パネル）と第２パネル（第２表示パネル）とを備えた両面表示タイプの表示装置では、第１パネルと第２パネルとの双方に受光回路を設けることができる。このため、これらの受光回路で検出される環境光のデータをうまく活用すれば、第１パネルと蛍光灯（環境光）との位置関係を容易に判別することが可能になる。例えば、第１パネルが蛍光灯の真下以外に位置する場合には、地面で反射された環境光が第２受光回路に入射されるため、第２受光回路で検出される環境光の強度は第１受光回路で検出される環境光の強度に比べて著しく小さくなることはない。しかし、第１パネルが蛍光灯の真下に位置する場合には、このような地面からの反射光が殆ど入射されなくなるため、第２受光回路で検出される環境光の強度は第１受光回路で検出される環境光の強度に比べて著しく小さなものとなる。したがって、第１受光回路と第２受光回路で検出された環境光のデータを比較すれば、その環境光のデータが蛍光灯の真下（第２パネルが環境光に対して逆光となる位置）で検出されたものであるか否かを容易に判別することができるのである。
【００１０】
このように、第１受光回路と第２受光回路との双方を用いて第１パネルと蛍光灯との位置関係を把握し、それによって除外すべき環境光のデータを適切に選択しているため、従来に比べて人間の感覚に近い環境の明るさを検出することができる。そして、このようにして検出された環境の明るさに基づいて画像の表示状態を細やかに制御するため、従来に比べて画像の視認性が高く、消費電力も十分に低減された表示装置が提供される。
【００１２】
本発明の技術的思想は、表示面側から入射する第１環境光と表示面とは反対側から入射する第２環境光とを比較することにより、表示パネルと蛍光灯との位置関係を把握し、排除すべき環境光のデータを適切に選択することにあるため、一の表示パネルのみを備えた表示装置であっても、表示面側及びそれとは反対側の環境光を検出できれば、本発明の制御方法を適用することができる。表示装置は、このような単一の表示パネルを備えた表示装置である。
【００１３】
逆光検出部は、第２環境光の強度を１としたときに第１環境光の強度が１０以上である場合に、逆光状態を検出することが望ましい。この構成によれば、複雑な制御を必要とせずに、より簡便に逆光となる位置を検出することができる。
【００１４】
明るさ制御部は、明るさ検出部が検出した明るさに基づいて表示パネルに表示する画像の明るさを３段階以上で制御することが望ましい。この構成によれば、画像の表示状態が段階的に制御されるので、僅かな明るさの変化によって画像の表示状態が変化することはない。したがって、画像の表示状態を連続的に制御する場合に比べて視認性の良い表示装置を提供することができる。また、表示状態を細かく制御するので、消費電力を低減する上でも有効なものとなる。
【００１５】
明るさ制御部は、環境の明るさが１００ルクス〜１０００ルクスの範囲において、表示パネルに表示する画像の明るさを複数段階で制御することが望ましい。この構成によれば、屋内の環境（１００ルクス〜１０００ルクス）において良好な視認性が得られる。人間の視認性は屋外の明るい環境よりも屋内の薄暗い環境にいたときの方が大きく変化する。例えば、バックライトによって表示状態を制御する場合、屋外の明るい環境でバックライトの強度を僅かに変化させても、その変化は殆ど認識されないが、屋内の薄暗い環境でバックライトの強度を変化させた場合には、その変化が僅かなものであっても認識され、人間の視認性に大きな影響を与える。本発明では、人間の視覚が敏感に働く明るさの範囲（１００ルクス〜１０００ルクス）で表示状態を細かく制御するので、従来に比べて視認性の良い表示装置が提供される。
【００１６】
表示面とは反対側から照明光を照射する照明装置（バックライト装置）を有し、明るさ制御部は、バックライト装置の照明光の強度を調節によって画像の明るさを制御することが望ましい。この構成によれば、環境の明るさに応じた最も適切な制御が可能となる。画像の表示状態を制御する方法としては、この他にも画像の階調を制御する方法等があるが、このような方法は複雑な制御が必要であり、また画像自体が変わってしまうという不具合も生じる。一方、照明光の強度を制御する方法では、このような不具合が生じず、また環境の明るさを画像の明るさで補償するものであるため、環境の明るさの変化に対しては最も有効且つ直接的な方法となる。ただし、有機ＥＬ装置等のように照明装置を必要としない表示装置の場合は、環境の明るさに基づいて画像の階調を制御することにより画像の表示状態を制御してもよい。
【００１７】
電子機器は、前述した表示装置を備える。この構成によれば、特に蛍光灯で照らされる屋内の環境において、環境の明るさを正確に検出でき、これにより画像の表示状態を適切に制御することが可能な電子機器が提供される。
【発明を実施するための最良の形態】
【００１８】
［第１の実施の形態］＜電気光学装置の全体構成＞
図１は、本発明の電気光学装置（表示装置）の一実施形態の構成を示す分解斜視図である。図１に示すように、本形態の電気光学装置１は、第１パネル１０Ａと、該第１パネルの背面側に設けられた第２パネル１０Ｂと、これら一対のパネル１０Ａ，１０Ｂの間に設けられて両者を照明する照明装置であるバックライト装置６とを備えている。
【００１９】
第１パネル１０Ａおよび第２パネル１０Ｂは、例えば、非発光型パネルであるネマチック液晶を用いたアクティブマトリクス型の透過型あるいは半透過反射型のカラー液晶パネルであり、第１パネル１０Ａの両面には入射側偏光板１０１Ａおよび射出側偏光板１０２Ａが積層されている。また、第２パネル１０Ｂの両面にも入射側偏光板１０１Ｂおよび射出側偏光板１０２Ｂが配置されている。第１パネル１０Ａはメインの液晶表示部（メインパネル）を構成するものであり、第２パネル１０Ｂよりも大きい。これに対して、第２パネル１０Ｂはサブの液晶表示部（サブパネル）を構成するものであり、第１パネル１０Ａよりも小さい。
【００２０】
第１パネル１０Ａは、画素電極や画素スイッチング素子であるＴＦＴ素子などが形成された素子基板２０Ａと、対向電極やカラーフィルタなどが形成された対向基板３０Ａとを備えている。これらの基板２０Ａ及び３０Ａは、シール材によって所定の間隙を介して貼り合わされ、その間隙には液晶層が封入、保持されている。素子基板２０Ａは対向基板３０Ａよりも大きく、素子基板２０Ａの対向基板３０Ａから張り出す張り出し領域１５Ａには、半導体ＩＣ等で構成される駆動回路１０３ＡがＣＯＧ（Chip On Glass）実装されている。また、駆動回路１０３Ａの近傍に光センサである第１受光回路１１Ａが設けられている。さらに、駆動回路１０３Ａ及び第１受光回路１１Ａとの間で信号や電源の授受を行なう可撓性基板４０の端部が張り出し領域１５Ａに実装されている。
【００２１】
第２パネル１０Ｂは、第１パネル１０Ａと同様に、画素電極やＴＦＴ素子などが形成された素子基板２０Ｂと、対向電極やカラーフィルタなどが形成された対向基板３０Ｂとを備えている。これらの基板２０Ｂ及び３０Ｂは、シール材によって所定の間隙を介して貼り合わされ、その間隙には液晶層が封入、保持されている。素子基板２０Ｂは、対向基板３０Ｂよりも大きく、素子基板２０Ｂの対向基板３０Ｂから張り出す張り出し領域１５Ｂには、半導体ＩＣ等で構成される駆動回路１０３ＢがＣＯＧ実装されている。また、駆動回路１０３Ｂの近傍に光センサである第２受光回路１１Ｂが設けられている。さらに、駆動回路１０３Ｂ及び第２受光回路１１Ｂとの間で信号や電源の授受を行なう可撓性基板（図示せず）が張り出し領域１５Ｂに実装されている。なお、本形態では、ＣＯＧ技術を採用したものを例示してあるが、駆動用ＩＣがＣＯＦ（Chip On Film）実装された可撓性基板を液晶パネルに実装してもよい。
【００２２】
第１パネル１０Ａ及び第２パネル１０Ｂは、バックライト装置６を挟んで背中合わせに配置されている。第１パネル１０Ａはバックライト装置６の導光板６１の第１面６１１側に対向配置されており、第２パネル１０Ｂは導光板６１の第２面６１２側に対向配置されている。そして、導光板６１から第１面６１１側及び第２面６１２側に射出された照明光によって第１パネル１０Ａと第２パネル１０Ｂとの双方が照明されるようになっている。
【００２３】
バックライト装置６は、光源としての複数のＬＥＤ６２（発光素子）と、これらのＬＥＤ６２から射出された光が側端面６１０から入射して第１面６１１側および第２面６１２側の双方から射出される導光板６１とを備えている。
【００２４】
導光板６１は、透光性樹脂成形品からなる。導光板６１の第１面６１１と対向する面には、厚さが例えば１００μｍの第１パネル側プリズムシート６３が配置されている。また、第１パネル側プリズムシート６３と第１パネル１０Ａとの間には、第１パネル１０Ａの画像表示領域に相当する領域に開口６５０が形成された第１パネル側遮光シート６５が積層されている。同様に、導光板６１の第２面６１２に対向する面には、厚さが例えば１００μｍの第２パネル側プリズムシート６４が配置されている。また、第２パネル側プリズムシート６４と第２パネル１０Ｂとの間には、第２パネル１０Ｂの画像表示領域に相当する領域に開口６６０が形成された第２パネル側遮光シート６６が積層されている。
【００２５】
第１パネル側プリズムシート６３は、導光板６１の第１面６１１から射出された光の一部を第１パネル１０Ａに向けて透過するとともに、残りの光を導光板６１に向けて反射する。また、第２パネル側プリズムシート６４は、導光板６１の第２面６１２から射出された光の一部を第２パネル１０Ｂに向けて透過するとともに、残りの光を導光板６１に向けて反射する。遮光シート６５、６６は光の漏れを防止するものであり、黒・白の２層のシート、銀・黒の２層のシート、白のシート、透明シートを用いることでき、その厚さは、例えば５０μｍである。なお、画像表示領域は、利用者に画像を表示する領域であり、電子機器に形成された枠の窓などで規定されるが、開口６５０、６６０で規定される領域と略重なる領域である。
【００２６】
ＬＥＤ６２は、第１パネル１０Ａに信号や電源を供給するための可撓性基板４０（発光素子実装基板）上に実装されている。可撓性基板４０は、第１パネル１０Ａの側から導光板６１の第２面６１２まで引き回されており、第２面６１２側で、そのＬＥＤ６２の実装領域に隣接する部分が図示略の基板固定部材によって第２面６１２の端部に押し付け固定されている。そして、可撓性基板４０の端部が第２面６１２上に位置決めされた状態で固定されることで、ＬＥＤ６２は、その射出光軸Ｌを導光板６１の側端面６１０に向けた状態に位置決めされている。
【００２７】
＜電気光学装置の表示動作＞
電気光学装置１においては、ＬＥＤ６２から射出された光は、側端面６１０から導光板６１内に入射し、反対側の側端面に進行していく。その際、導光板６１の第２面６１２側には、第２パネル側プリズムシート６４が配置されており、導光板６１内を進行する光の一部は、第２パネル側プリズムシート６４によって、第１面６１１の側から第１パネル１０Ａに向けて射出され、かかる光は、第１パネル１０Ａを透過する間に光変調され、画像を表示する。また、導光板６１の第１面６１１側には第１パネル側プリズムシート６３が配置されており、導光板６１内を進行する光の一部は、第１パネル側プリズムシート６３によって、第２面６１２の側から第２パネル１０Ｂに向けて射出され、かかる光は、第２パネル１０Ｂを透過する間に光変調され、画像を表示する。
【００２８】
第１パネル１０Ａ及び第２パネル１０Ｂは、例えば、後述する中央制御部により択一的に表示状態を制御される。すなわち、第１パネル１０Ａで表示を行なうときは、第２パネル１０Ｂの表示は停止され、第２パネル１０Ｂで表示を行なうときは、第１パネル１０Ａの表示は停止される。第１パネル１０Ａで表示を行なう場合には、第１受光回路１１Ａで検出した環境の明るさに基づいてバックライト装置６の照明光の強度が制御され、第１パネル１０Ａが置かれる環境の明るさに適した適切な表示状態が実現される。また、第２パネル１０Ｂで表示を行なう場合には、第２受光回路１１Ｂで検出した環境の明るさに基づいてバックライト装置６の照明光の強度が制御され、第２パネル１０Ｂが置かれる環境の明るさに適した適切な表示状態が実現される。
【００２９】
＜電気光学装置の電気的構成＞
図２は、電気光学装置１の電気的構成を示すブロック図である。図２に示すように、電気光学装置１は、第１パネル１０Ａを制御する第１制御回路１５０Ａと、第２パネル１０Ｂを制御する第２制御回路１５０Ｂと、光源（ＬＥＤ）６２を制御する第３制御回路１７０と、第１パネル１０Ａに入射する環境光（第１環境光）を検出する第１受光回路１１Ａと、第２パネル１０Ｂに入射する環境光（第２環境光）を検出する第２受光回路１１Ｂとを備えている。第１制御回路１５０Ａ、第２制御回路１５０Ｂ及び第３制御回路１７０は、マイクロコンピュータ等で構成される中央制御部１６０によって制御される。
【００３０】
第１パネル１０Ａは駆動回路１０３Ａに接続され、駆動回路１０３Ａは制御回路１５０Ａに接続されている。制御回路１５０Ａは、表示情報出力源１５１Ａと表示情報処理回路１５２Ａと電源回路１５３Ａとタイミングジェネレータ１５４Ａとを備えている。また、第２パネル１０Ｂは駆動回路１０３Ｂに接続され、駆動回路１０３Ｂは制御回路１５０Ｂに接続されている。制御回路１５０Ｂは、表示情報出力源１５１Ｂと表示情報処理回路１５２Ｂと電源回路１５３Ｂとタイミングジェネレータ１５４Ｂとを備えている。
【００３１】
表示情報出力源１５１Ａ，１５１Ｂは、ＲＯＭ（Read Only Memory）やＲＡＭ（Random Access Memory）等からなるメモリと、磁気記録ディスクや光記録ディスク等からなるストレージユニットと、デジタル画像信号を同調出力する同調回路とを備え、タイミングジェネレータ１５４Ａ，１５４Ｂによって生成された各種のクロック信号に基づいて、所定フォーマットの画像信号等の形で表示情報を表示情報処理回路１５２Ａ，１５２Ｂに供給するように構成されている。
【００３２】
表示情報処理回路１５２Ａ，１５２Ｂは、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路１０３Ａ，１０３Ｂへ供給する。駆動回路１０３Ａ，１０３Ｂは、走査線駆動回路、データ線駆動回路及び検査回路を含む。また、電源回路１５３Ａ，１５３Ｂは、上述の各構成要素にそれぞれ所定の電圧を供給する。
【００３３】
光源（ＬＥＤ）６２は、第３制御回路１７０に接続されている。第３制御回路１７０は、判別回路１７１と明るさ検出回路１７２と電流供給回路１７３とを備えている。
【００３４】
第１受光回路１１Ａ及び第２受光回路１１Ｂは、例えば、フォトダイオードやフォトトランジスタなどによって構成されている。第１受光回路１１Ａは、素子基板２０Ａを透過し第１パネル１０Ａの画像表示領域に入射される環境光（電気光学装置の外部の光）を受光する。また、第２受光回路１１Ｂは、第２パネル１０Ｂの画像表示領域に入射する環境光を受光する。これらの受光回路１１Ａ，１１Ｂは、第３制御回路１７０から検出開始信号が発信されたときに各々の受光面で環境光を受光し、光電変換により電気信号を強度情報として第３制御回路１７０に出力するように構成されている。
【００３５】
判別回路１７１は、所定時間ごとに受光回路１１Ａ，１１Ｂに対して環境光を受光するための検出開始信号を送信すると共に、受光回路１１Ａ，１１Ｂからの強度情報を受信し、受信した強度情報から環境光の強度を算出するように構成されている。また、判別回路１７１は、過去に検出開始信号を送信したときに受光回路１１Ａ，１１Ｂでそれぞれ検出した環境光の強度が記録されたメモリなどの記録部（図示略）を備えており、受光回路１１Ａ，１１Ｂのそれぞれで検出した環境光の強度の変化量及びその変化の方向を算出するように構成されている。
【００３６】
また、判別回路１７１は、第１受光回路１１Ａで検出された第１環境光の強度と第２受光回路１１Ｂで検出された第２環境光の強度とを比較し、その強度の変化の方向が互いに異なる場合に、第１環境光の強度と第２環境光の強度との比を算出するように構成されている。そして、その比が所定値以下、例えば１０：１以下である場合には、それらの環境光が、第２パネル１０Ｂが第１環境光に対して逆光となる位置、例えば蛍光灯の真下の位置で検出されたものと判別する。
【００３７】
図３は、第１受光回路１１Ａ及び第２受光回路１１Ｂで検出された環境光の強度の一例を時系列的に示したものである。このデータは、第１パネル１０Ａを表示しながら屋内の廊下を歩いた場合の受光回路１１Ａ，１１Ｂで検出される環境光のデータである。なお、廊下には照明装置である蛍光灯が廊下に沿って複数設置されている。
【００３８】
図３に示すように、受光回路１１Ａ，１１Ｂで検出される環境光（第１環境光、第２環境光）の強度は蛍光灯の配列に合わせて周期的に増減を繰り返している。第１パネル１０Ａが蛍光灯の真下以外に位置する場合には、地面で反射された環境光が第２受光回路１１Ｂに入射されるため、第２環境光の強度は第１環境光の強度に比べて著しく小さくなることはない。また、蛍光灯に近づけば地面からの反射光も大きくなるため、第１環境光の強度（蛍光灯から直接入射される光の強度）と第２環境光の強度（反射光の強度）とは概ね同じ方向の変化を示すことになる。
【００３９】
一方、第１パネル１０Ａが蛍光灯の真下に位置する場合には、このような地面からの反射光が殆ど入射されなくなるため、第２環境光の強度は第１環境光の強度に比べて著しく小さなものとなる。図３において、０秒、５秒、２３秒、２５秒、３６秒、３７秒、４０秒で検出される第２環境光のピークはこのことを示している。また、蛍光灯に近づくまでは第２環境光の強度は徐々に増加していくが、蛍光灯の真下にきたときは第２環境光の強度が減少するため、第１環境光の強度の変化とは逆の変化を示すことになる。さらに、第２環境光の強度はゼロ付近まで急激に減少するため、このような不連続的な変化を検出すれば、第２パネル１０Ｂが蛍光灯に対して逆光となる位置に存在することが判別できる。
【００４０】
判別回路１７１は、記録部に記録されている第１環境光の強度のデータを明るさ検出回路１７２に出力する。この際、第２パネル１０Ｂが第１環境光に対して逆光となる位置で検出されたものであると判別された第１環境光の強度のデータを除外し、それ以外の第１環境光の強度のデータを出力するように構成されている。第２パネル１０Ｂが環境光に対して逆光となる位置では、第１環境光の強度も不連続的に大きくなるため、そのようなデータを含めて環境の明るさを算出すると、人間が感じる環境の明るさよりも明るい状態を算出してしまうからである。
【００４１】
明るさ検出回路１７２は、判別回路１７１から出力された第１環境光の強度のデータに基づいて第１環境光の強度の平均値を算出し、この平均値を環境の明るさとして検出する。ここで、明るさ検出回路１７２は、判別回路１７１から出力された第１環境光の強度のデータを一定期間記憶しておく記憶部を備えており、この記憶部に記憶されたデータ（例えば１０秒間のうちに検出された第１環境光の強度のデータ）から第１環境光の強度の平均値を算出する。そして、このようにして検出された環境の明るさに関する情報を電流供給回路１７３に出力するように構成されている。なお、本実施形態では、「第１環境光の強度の平均値」を環境の明るさとして検出したが、他の数値、例えば第１環境光の強度の最頻値等を環境の明るさとして検出することも可能である。
【００４２】
電流供給回路１７３は、明るさ検出回路１７２で検出した環境の明るさに基づいて光源（ＬＥＤ）６２に供給する電流を調整し、照明光の強度を制御するように構成されている。なお、電流供給回路１７３は、環境の明るさがある閾値以下である場合に光源６２を発光させ、第１パネル１０Ａを透過モードで表示させると共に、上記閾値よりも高い環境の明るさである場合に光源（ＬＥＤ）６２の発光を停止させ、第１パネル１０Ａを反射モードで表示させるように構成してもよい。
【００４３】
中央制御部１６０は、制御回路１５０Ａ，１５０Ｂの表示情報出力源１５１Ａ、１５１Ｂに適宜に点灯／消灯指令や表示情報の元データなどを送出し、これに対応する表示情報を表示情報出力源１５１Ａ、１５１Ｂに出力させ、制御回路１５０Ａ，１５０Ｂ及び駆動回路１０３Ａ，１０３Ｂを介して第１パネル１０Ａ及び第２パネル１０Ｂに適宜の表示画像を表示させる。また、中央制御部１６０は、第３制御回路１７０の判別回路１７１に検出開始信号の送信指令等を送出し、光源６２に対しても点灯や消灯などの制御を行なうように構成されている。
【００４４】
＜バックライト装置の制御方法＞
図４は、環境光の強度に対するバックライト装置６の照明光の強度の制御方法を示す図である。図４に示すように、まず、判別回路１７１が受光回路１１Ａ，１１Ｂに対して検出開始信号を発信し、受光回路１１Ａ，１１Ｂがそれぞれ環境光を受光する（ステップＳＴ１）。そして、受光回路１１Ａ，１１Ｂは、光電変換した電気信号を強度情報として判別回路１７１に出力する。
【００４５】
次に、判別回路１７１が、受信した強度情報から環境光の強度とその強度の変化量とを算出し、上記記録部に記録する（ステップＳＴ２）。また、上記の強度情報から環境光の強度の変化の方向を算出し、その方向が第１環境光と第２環境光とで異なる場合には、第１環境光の強度と第２環境光の強度との比を算出することで、第２パネルが第１環境光に対して逆光であるか否かを判別する（ステップＳＴ３）。上記比が例えば１０：１以下である場合（第２環境光の強度を１としたときに第１環境光の強度が１０以上である場合）には、第２パネル１０Ｂが逆光であると判別し、明るさ検出回路１７２に出力する第１環境光の強度のデータから上記データを除外する（ステップＳＴ４）。一方、上記比が１０：１よりも大きい場合（第２環境光の強度を１としたときに第１環境光の強度が１０より小さい場合）には、第２パネル１０Ｂは逆光でないものと判別し、その第１環境光のデータを明るさ検出回路１７２に出力する（ステップＳＴ５）。
【００４６】
次に、明るさ検出回路１７２が、判別回路１７１から出力された第１環境光の平均値を算出して電流供給回路１７３に出力する（ステップＳＴ６）。そして、電流供給回路１７３は、この第１環境光の強度の平均値に基づいて光源６２に供給する電流を段階的に、例えば３段階以上で調整する（ステップＳＴ７）。ここで、第１環境光の強度の平均値が１００ルクス〜１０００ルクスの範囲内である場合には、電流供給回路１７３は上記電流を複数段階で調整し、環境の明るさに対してよりきめ細かい制御を行なう。
【００４７】
ステップＳＴ７において照明光の強度を調整した後、電気光学装置１による画像の表示を継続するか否かを判断する（ステップＳＴ８）。ステップＳＴ８において、電気光学装置１による画像の表示を継続する場合には、所定の時間の経過後にステップＳＴ１に戻り、判別回路１７１が検出開始信号を発信することで、再度環境光の検出を行なう。一方、ステップＳＴ８において、電気光学装置１による画像の表示を終了する場合には、照明光の照射を終了する。以上のようにして、バックライト装置６の照明光の強度を制御する。
【００４８】
以上説明したように、本実施形態の電気光学装置１では、第１受光回路１１Ａと第２受光回路１１Ｂの双方を用いて第１パネル１０Ａと環境光（蛍光灯）との位置関係を把握し、それによって除外すべき環境光のデータを適切に選択している。したがって、従来に比べて人間の感覚に近い環境の明るさを検出することができる。そして、このようにして検出された環境の明るさに基づいて画像の表示状態を細やかに制御するため、従来に比べて画像の視認性が高く、消費電力も十分に低減された電気光学装置が提供される。
【００４９】
なお、本実施形態では、バックライト装置６の照明光の強度を調節することにより画像の表示状態を制御したが、画像の表示状態を制御する方法は必ずしもこれに限定されない。例えば、環境の明るさに応じて画像の階調を制御することにより画像の表示状態を制御してもよい。また、本実施形態では、第１パネル１０Ａ及び第２パネル１０Ｂとして非発光型のパネルである液晶パネルを用いたが、これらのパネルとしては有機ＥＬ装置等の自発光型のパネルを用いても良い。この場合、バックライト装置は必要ないので、画像の階調（発光量）等により画像の表示状態を制御することになる。さらに、本実施形態では、第１受光回路１１Ａ及び第２受光回路１１Ｂを電気光学装置１の第１パネル及び第２パネルの基板上に配置した例を示したが、配置位置は必ずしもこれに限定されない。第１受光回路１１Ａ及び第２受光回路１１Ｂがそれぞれ対向する側の環境光を検出できる位置であれば基板上である必要はない。
【００５０】
なお、有機ＥＬ装置は必ずしも電気光学効果を利用するものではないが、本発明の電気光学装置としては、このような電気光学効果を利用するものに限らず、広く一般に電気的作用により表示状態を制御することが可能な装置（表示装置）が包含されるものとする。すなわち、本発明において「電気光学装置」とは、電界により物質の屈折率が変化して光の透過率を変化させる電気光学効果を有するものの他、電気エネルギーを光学エネルギーに変換するもの等も含んで総称している。具体的には、電気光学物質として液晶を用いる液晶装置、有機ＥＬ(Electro-Luminescence)を用いる有機ＥＬ装置、無機ＥＬを用いる無機ＥＬ装置、プラズマ用ガスを用いるプラズマディスプレイ装置等がある。さらには、電気泳動ディスプレイ装置（ＥＰＤ：Electrophoretic Display）、フィールドエミッションディスプレイ装置（ＦＥＤ：電界放出表示装置：Field Emission Display）等がある。
【００５１】
［電子機器］
以下、上記実施形態の電気光学装置１を備えた電子機器について説明する。図５は、電子機器の一例である携帯電話機を示した模式図である。この携帯電話機３００は、第１の筐体３０１と第２の筐体３０２とを有する折畳式の携帯電話機である。第１の筐体３０１と第２の筐体３０２とは各々の縁端部にてヒンジ３０３を介して連結される。利用者は、図５（ａ）に示されるように第１の筐体３０１が第２の筐体３０２に対して約１８０度に開かれた状態（開状態）から、ヒンジ３０３を軸として第１の筐体３０１を第２の筐体３０２側に回転させることにより、図５（ｂ）に示されるように第１の筐体３０１と第２の筐体３０２とが互いに対向する状態（閉状態）となるように電子機器３００を折り畳むことができる。
【００５２】
第２の筐体３０２のうち閉状態にて第１の筐体３０１と対向する面には、利用者によって操作される複数の操作子３０４と利用者が音声を入力するためのマイクロフォン３０５とが配置される。一方、第１の筐体３０１には、無線通信を行なうためのアンテナ３０６や音声を出力するスピーカ３０７が配置されるほか、画像表示部として上記実施形態の液晶装置１（電気光学装置）が収容される。この液晶装置１は、メインパネルである第１パネル１０Ａとサブパネルである第２パネル１０Ｂとを有する。第１パネル１０Ａ及び第２パネル１０Ｂの各々は種々の画像を表示するための表示パネルである。第１の筐体３０１のうち閉状態において第２の筐体３０２と対向する面には開口部３０８が形成されている。図５（ａ）に示すように、第１パネル１０Ａはその表示面が開口部３０８の内側に位置するように配置されている。一方、第１の筐体３０１のうち開口部３０８とは反対側の面には、図５（ｂ）に示すように開口部３０９が形成されている。第２パネル１０Ｂは、その表示面が開口部３０９の内側に位置するように配置されている。利用者は、開口部３０８を介して第１パネル１０Ａによる表面画像を視認するとともに、開口部３０９を介して第２パネル１０Ｂによる表示画像を視認することができる。
【００５３】
図５に示した電子機器は、上記実施形態の液晶装置１を用いた画像表示部を備えているので、特に蛍光灯で照らされるような屋内の環境において、環境の明るさを正確に検出でき、これにより画像の表示状態を適切に制御することが可能な電子機器を実現できる。
【００５４】
なお、本発明の電気光学装置は、前述した携帯電話機に限らず、種々の電子機器に搭載することができる。この電子機器としては例えば、電子ブック、パーソナルコンピュータ、ディジタルスチルカメラ、液晶テレビ、ビューファインダ型あるいはモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等があり、前記電気光学装置はこれら画像表示手段として好適に用いることができる。
【００５５】
［第２の実施の形態］＜電気光学装置の全体構成＞
図６は、本発明の電気光学装置の一実施形態の構成を示す分解斜視図である。図６に示すように、本形態の電気光学装置２は、表示パネル１０Ｃと、表示パネル１０Ｃの背面側（表示面とは反対側）に設けられた照明装置であるバックライト装置６とを備えている。なお、図６において、図１に示した第１実施形態の電気光学装置１と共通の構成要素については同じ符号を付し、詳細な説明は省略する。
【００５６】
表示パネル１０Ｃは、例えば、非発光型パネルであるネマチック液晶を用いたアクティブマトリクス型の透過型あるいは半透過反射型のカラー液晶パネルであり、表示パネル１０Ｃの両面には入射側偏光板１０１Ｃおよび射出側偏光板１０２Ｃが積層されている。
【００５７】
表示パネル１０Ｃは、画素電極や画素スイッチング素子であるＴＦＴ素子などが形成された素子基板２０Ｃと、対向電極やカラーフィルタなどが形成された対向基板３０Ｃとを備えている。これらの基板２０Ｃ及び３０Ｃは、シール材によって所定の間隙を介して貼り合わされ、その間隙には液晶層が封入、保持されている。素子基板２０Ｃは対向基板３０Ｃよりも大きく、素子基板２０Ｃの対向基板３０Ｃから張り出す張り出し領域１５Ｃには、半導体ＩＣ等で構成される駆動回路１０３ＣがＣＯＧ（Chip On Glass）実装されている。また、駆動回路１０３Ｃの近傍に光センサである第２受光回路１１Ｂが設けられており、第２受光回路１１Ｂと対向する素子基板２０Ｃの表示側の面（素子基板２０Ｃのバックライト装置６とは反対側の面）に光センサである第１受光回路１１Ａが設けられている。さらに、駆動回路１０３Ｃ及び受光回路１１Ａ，１１Ｂとの間で信号や電源の授受を行なう可撓性基板４０の端部も張り出し領域１５Ｃに実装されている。
【００５８】
表示パネル１０Ｃはバックライト装置６の導光板６１の第１面６１１側に対向配置されている。そして、導光板６１から第１面６１１側に射出された照明光によって表示パネル１０Ｃ照明されるようになっている。
【００５９】
バックライト装置６は、光源としての複数のＬＥＤ６２（発光素子）と、これらのＬＥＤ６２から射出された光が側端面６１０から入射して第１面６１１側および第２面６１２側の双方から射出される導光板６１とを備えている。
【００６０】
導光板６１は、透光性樹脂成形品からなる。導光板６１の第１面６１１と対向する面には、厚さが例えば１００μｍのプリズムシート６３が配置されている。また、プリズムシート６３と表示パネル１０Ｃとの間には、表示パネル１０Ｃの画像表示領域に相当する領域に開口６５０が形成された遮光シート６５が積層されている。さらに、導光板６１の第２面６１２に対向する面には、反射シート６９が配置されている。
【００６１】
プリズムシート６３は、導光板６１の第１面６１１から射出された光の一部を表示パネル１０Ｃに向けて透過するとともに、残りの光を導光板６１に向けて反射する。また、反射シート６９は、導光板６１の第２面６１２から射出された光を導光板６１に向けて反射する。遮光シート６５は光の漏れを防止するものであり、黒・白の２層のシート、銀・黒の２層のシート、白のシート、透明シートを用いることでき、その厚さは、例えば５０μｍである。なお、画像表示領域は、利用者に画像を表示する領域であり、電子機器に形成された枠の窓などで規定されるが、開口６５０で規定される領域と略重なる領域である。
【００６２】
ＬＥＤ６２は、表示パネル１０Ｃに信号や電源を供給するための可撓性基板４０（発光素子実装基板）上に実装されている。可撓性基板４０は、表示パネル１０Ｃの側から導光板６１の第２面６１２まで引き回されており、第２面６１２側で、そのＬＥＤ６２の実装領域に隣接する部分が図示略の基板固定部材によって第２面６１２の端部に押し付け固定されている。そして、可撓性基板４０の端部が第２面６１２上に位置決めされた状態で固定されることで、ＬＥＤ６２は、その射出光軸Ｌを導光板６１の側端面６１０に向けた状態に位置決めされている。
【００６３】
＜電気光学装置の表示動作＞
電気光学装置２においては、ＬＥＤ６２から射出された光は、側端面６１０から導光板６１内に入射し、反対側の側端面に進行していく。その際、導光板６１の第２面６１２側には反射シート６９が配置されており、導光板６１内を進行する光は、反射シート６９によって反射され、プリズムシート６３を透過して第１面６１１の側から表示パネル１０Ｃに向けて射出される。そして、表示パネル１０Ｃを透過する間に光変調され、画像を表示する。
【００６４】
表示パネル１０Ｃは、例えば、後述する中央制御部により表示状態を制御される。表示パネル１０Ｃで表示を行なう場合には、第１受光回路１１Ａで検出した環境の明るさに基づいてバックライト装置６の照明光の強度が制御され、表示パネル１０Ｃが置かれる環境の明るさに適した適切な表示状態が実現される。
【００６５】
＜電気光学装置の電気的構成＞
図７は、電気光学装置２の電気的構成を示すブロック図である。図７に示すように、電気光学装置２は、表示パネル１０Ｃを制御する制御回路１５０Ｃと、光源（ＬＥＤ）６２を制御する制御回路１７０と、表示パネル１０Ｃの表示面側に入射する環境光（第１環境光）を検出する第１受光回路１１Ａと、表示パネル１０Ｃの表示面とは反対側に入射する環境光（第２環境光）を検出する第２受光回路１１Ｂとを備えている。制御回路１５０Ａ及び制御回路１７０は、マイクロコンピュータ等で構成される中央制御部１６０によって制御される。
【００６６】
表示パネル１０Ｃは駆動回路１０３Ｃに接続され、駆動回路１０３Ｃは制御回路１５０Ｃに接続されている。制御回路１５０Ｃは、表示情報出力源１５１Ｃと表示情報処理回路１５２Ｃと電源回路１５３Ｃとタイミングジェネレータ１５４Ｃとを備えている。
【００６７】
表示情報出力源１５１Ｃは、ＲＯＭ（Read Only Memory）やＲＡＭ（Random Access Memory）等からなるメモリと、磁気記録ディスクや光記録ディスク等からなるストレージユニットと、デジタル画像信号を同調出力する同調回路とを備え、タイミングジェネレータ１５４Ｃによって生成された各種のクロック信号に基づいて、所定フォーマットの画像信号等の形で表示情報を表示情報処理回路１５２Ｃに供給するように構成されている。
【００６８】
表示情報処理回路１５２Ｃは、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路１０３Ｃへ供給する。駆動回路１０３Ｃは、走査線駆動回路、データ線駆動回路及び検査回路を含む。また、電源回路１５３Ｃは、上述の各構成要素にそれぞれ所定の電圧を供給する。
【００６９】
光源（ＬＥＤ）６２は、制御回路１７０に接続されている。制御回路１７０は、判別回路１７１と明るさ検出回路１７２と電流供給回路１７３とを備えている。
【００７０】
第１受光回路１１Ａ及び第２受光回路１１Ｂは、例えば、フォトダイオードやフォトトランジスタなどによって構成されている。第１受光回路１１Ａは表示パネル１０Ｃの表示側の面に入射される環境光（電気光学装置の外部の光）を受光する。また、第２受光回路１１Ｂは表示パネル１０Ｃの表示側とは反対側の面に入射する環境光を受光する。これらの受光回路１１Ａ，１１Ｂは、制御回路１７０から検出開始信号が発信されたときに各々の受光面で環境光を受光し、光電変換により電気信号を強度情報として制御回路１７０に出力するように構成されている。
【００７１】
判別回路１７１は、所定時間ごとに受光回路１１Ａ，１１Ｂに対して環境光を受光するための検出開始信号を送信すると共に、受光回路１１Ａ，１１Ｂからの強度情報を受信し、受信した強度情報から環境光の強度を算出するように構成されている。また、判別回路１７１は、過去に検出開始信号を送信したときに受光回路１１Ａ，１１Ｂでそれぞれ検出した環境光の強度が記録されたメモリなどの記録部（図示略）を備えており、受光回路１１Ａ，１１Ｂのそれぞれで検出した環境光の強度の変化量及びその変化の方向を算出するように構成されている。
【００７２】
また、判別回路１７１は、第１受光回路１１Ａで検出された第１環境光の強度と第２受光回路１１Ｂで検出された第２環境光の強度とを比較し、その強度の変化の方向が互いに異なる場合に、第１環境光の強度と第２環境光の強度との比を算出するように構成されている。そして、その比が所定値以下、例えば１０：１以下である場合には、それらの環境光が、第２受光回路１１Ｂが配置された表示パネル１０Ｃの裏面が第１環境光に対して逆光となる位置、例えば蛍光灯の真下の位置で検出されたものと判別する。
【００７３】
判別回路１７１は、記録部に記録されている第１環境光の強度のデータを明るさ検出回路１７２に出力する。この際、第２受光回路１１Ｂ（表示パネル１０Ｃの裏面）が第１環境光に対して逆光となる位置で検出されたものであると判別された第１環境光の強度のデータを除外し、それ以外の第１環境光の強度のデータを出力するように構成されている。第２受光回路１１Ｂが環境光に対して逆光となる位置では、第１環境光の強度も不連続的に大きくなるため、そのようなデータを含めて環境の明るさを算出すると、人間が感じる環境の明るさよりも明るい状態を算出してしまうからである。
【００７４】
明るさ検出回路１７２は、判別回路１７１から出力された第１環境光の強度のデータに基づいて第１環境光の強度の平均値を算出し、この平均値を環境の明るさとして検出する。ここで、明るさ検出回路１７２は、判別回路１７１から出力された第１環境光の強度のデータを一定期間記憶しておく記憶部を備えており、この記憶部に記憶されたデータ（例えば１０秒間のうちに検出された第１環境光の強度のデータ）から第１環境光の強度の平均値を算出する。そして、このようにして検出された環境の明るさに関する情報を電流供給回路１７３に出力するように構成されている。なお、本実施形態では、「第１環境光の強度の平均値」を環境の明るさとして検出したが、他の数値、例えば第１環境光の強度の最頻値等を環境の明るさとして検出することも可能である。
【００７５】
電流供給回路１７３は、明るさ検出回路１７２で検出した環境の明るさに基づいて光源（ＬＥＤ）６２に供給する電流を調整し、照明光の強度を制御するように構成されている。なお、電流供給回路１７３は、環境の明るさがある閾値以下である場合に光源６２を発光させ、表示パネル１０Ｃを透過モードで表示させると共に、上記閾値よりも高い環境の明るさである場合に光源（ＬＥＤ）６２の発光を停止させ、表示パネル１０Ｃを反射モードで表示させるように構成してもよい。
【００７６】
中央制御部１６０は、制御回路１５０Ａの表示情報出力源１５１Ａに適宜に点灯／消灯指令や表示情報の元データなどを送出し、これに対応する表示情報を表示情報出力源１５１Ａに出力させ、制御回路１５０Ａ及び駆動回路１０３Ａを介して表示パネル１０Ｃに適宜の表示画像を表示させる。また、中央制御部１６０は、制御回路１７０の判別回路１７１に検出開始信号の送信指令等を送出し、光源６２に対しても点灯や消灯などの制御を行なうように構成されている。
【００７７】
以上説明したように、本実施形態の電気光学装置２では、第１受光回路１１Ａと第２受光回路１１Ｂの双方を用いて表示パネル１０Ｃと環境光（蛍光灯）との位置関係を把握し、それによって除外すべき環境光のデータを適切に選択している。したがって、従来に比べて人間の感覚に近い環境の明るさを検出することができる。そして、このようにして検出された環境の明るさに基づいて画像の表示状態を細やかに制御するため、従来に比べて画像の視認性が高く、消費電力も十分に低減された電気光学装置が提供される。
【００７８】
なお、本実施形態では、バックライト装置６の照明光の強度を調節することにより画像の表示状態を制御したが、画像の表示状態を制御する方法は必ずしもこれに限定されない。例えば、環境の明るさに応じて画像の階調を制御することにより画像の表示状態を制御してもよい。また、本実施形態では、表示パネル１０Ｃとして非発光型のパネルである液晶パネルを用いたが、かかるパネルとしては有機ＥＬ装置等の自発光型のパネルを用いても良い。この場合、バックライト装置は必要ないので、画像の階調（発光量）等により画像の表示状態を制御することになる。さらに、本実施形態では、第１受光回路１１Ａ及び第２受光回路１１Ｂを電気光学装置２の表示パネルの基板上に配置した例を示したが、配置位置は必ずしもこれに限定されない。第１受光回路１１Ａ及び第２受光回路１１Ｂがそれぞれ対向する側の環境光を検出できる位置であれば基板上である必要はない。
【００７９】
［電子機器］
以下、上記実施形態の電気光学装置２を備えた電子機器について説明する。図８は、電子機器の一例である携帯電話機を示した模式図である。この携帯電話機４００は、第１の筐体４０１と第２の筐体４０２とを有する折畳式の携帯電話機である。第１の筐体４０１と第２の筐体４０２とは各々の縁端部にてヒンジ４０３を介して連結される。利用者は、図８（ａ）に示されるように第１の筐体４０１が第２の筐体４０２に対して約１８０度に開かれた状態（開状態）から、ヒンジ４０３を軸として第１の筐体４０１を第２の筐体４０２側に回転させることにより、図５（ｂ）に示されるように第１の筐体４０１と第２の筐体４０２とが互いに対向する状態（閉状態）となるように電子機器４００を折り畳むことができる。
【００８０】
第２の筐体４０２のうち閉状態にて第１の筐体４０１と対向する面には、利用者によって操作される複数の操作子４０４と利用者が音声を入力するためのマイクロフォン４０５とが配置される。一方、第１の筐体４０１には、無線通信を行なうためのアンテナ４０６や音声を出力するスピーカ４０７が配置されるほか、画像表示部として上記実施形態の液晶装置２（電気光学装置）が収容される。第１の筐体４０１のうち閉状態において第２の筐体４０２と対向する面には開口部４０８が形成されている。図８（ａ）に示すように、表示パネル１０Ｃはその表示面及び第１受光回路１１Ａが開口部４０８の内側に位置するように配置されている。一方、第１の筐体４０１のうち開口部４０８とは反対側の面には、図８（ｂ）に示すように開口部４０９が形成されており、表示パネル１０Ｃの表示面とは反対側に設けられた第２受光回路１１Ｂが開口部４０９の内側に位置するように配置されている。利用者は、開口部４０８を介して表示パネル１０Ｃによる表面画像を視認するとともに、表示パネル１０Ｃの裏面側では、開口部４０９を介して第２受光回路１１Ｂで受光した環境光に基づいてバックライトの照明強度が調節されるようになっている。
【００８１】
図８に示した電子機器は、上記実施形態の液晶装置２を用いた画像表示部を備えているので、特に蛍光灯で照らされるような屋内の環境において、環境の明るさを正確に検出でき、これにより画像の表示状態を適切に制御することが可能な電子機器を実現できる。
【００８２】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【図面の簡単な説明】
【００８３】
【図１】本発明の電気光学装置の第１実施形態の構成を示す分解斜視図である。
【図２】同電気光学装置の電気的構成を示すブロック図である。
【図３】第１受光回路及び第２受光回路で検出した環境光の強度の一例を示す図である。
【図４】バックライト装置の照明光の強度の制御方法を示すフローチャートである。
【図５】同電気光学装置を備えた電子機器の一例である携帯電話機を示す斜視図である。
【図６】本発明の電気光学装置の第２実施形態の構成を示す分解斜視図である。
【図７】同電気光学装置の電気的構成を示すブロック図である。
【図８】同電気光学装置を備えた電子機器の一例である携帯電話機を示す斜視図である。
【符号の説明】
【００８４】
１，２…電気光学装置、６…バックライト装置（照明装置）、１０Ａ…第１パネル、１０Ｂ…第２パネル、１０Ｃ…表示パネル、１１Ａ…第１受光回路、１１Ｂ…第２受光回路、１５０Ａ，１５０Ｂ，１５０Ｃ…制御回路、１７０…制御回路、１７１…判別回路、１７２…明るさ検出回路、１７３…電流供給回路、３００，４００…携帯電話機（電子機器）
【図１】
0004702263.tif 000002
【図２】
0004702263.tif 000003
【図３】
0004702263.tif 000004
【図４】
0004702263.tif 000005
【図５】
0004702263.tif 000006
【図６】
0004702263.tif 000007
【図７】
0004702263.tif 000008
【図８】
0004702263.tif 000009